(57)【要約】【課題】  福袋として楽しめるのみならず、置物としても利用することのできる物品収容済みダルマとダルマ福袋を提供する。【解決手段】  ダルマが内部空間と出し入れ口を備え、内部空間と出し入れ口は連通しており、内部空間内に物品が収容され、出し入れ口が閉塞された、物品収容済みダルマである。複数の物品が個別に又は内袋に入れて内部空間内に収容されている。出し入れ口がダルマの底面に設けられている。ダルマが和紙を重ねて形成された張り子形のダルマである。福袋として販売されるダルマ福袋である。【選択図】図３
2015150035.tif 000002
【特許請求の範囲】
【請求項１】
顔、胴体に置物用の装飾が施されたダルマ内に内部空間があり、ダルマに出し入れ口があり、内部空間と出し入れ口は連通しており、
前記出し入れ口から内部空間内に物品が収容されており、
前記出し入れ口は物品が脱落しないように閉塞されており、
前記ダルマは、物品収容状態で又は物品取り出し後に置物として飾ることができる、
ことを特徴とする物品収容済みダルマ。
【請求項２】
請求項１記載の物品収容済みダルマにおいて、
複数の物品が個別に又は内袋に入れて、ダルマの内部空間内に収容されている、
ことを特徴とする物品収容済みダルマ。
【請求項３】
請求項１又は請求項２記載の物品収容済みダルマにおいて、
出し入れ口がダルマの底面に設けられた、
ことを特徴とする物品収容済みダルマ。
【請求項４】
請求項１から請求項３のいずれか1項に記載の物品収容済みダルマにおいて、
ダルマが和紙を重ね合わせて形成された張り子形のダルマである、
ことを特徴とする物品収容済みダルマ。
【請求項５】
請求項１から請求項４のいずれか１項に記載の物品収容済みダルマが福袋である、
ことを特徴とするダルマ福袋。
【発明の詳細な説明】
【技術分野】
【０００１】
本発明は、装飾用（置物用）のダルマの内部に贈答品、縁起物、衣料品、装飾品、化粧品、食料品、文房具、菓子等（以下「物品」という）が収容された、物品収容済みダルマと、福袋として販売されるダルマ福袋に関するものである。
【背景技術】
【０００２】
我が国では、年の始めに福袋が販売される商慣行がある。福袋は様々な物品を袋に詰め合わせて割安価格で提供されるものであり、衣料品、装飾品、化粧品など、商品分野を問わず様々な業界で販売されている。近年では、日本特有の福袋を購入するために日本を訪れる外国人も増えており、日本の一文化として世界的に知られるようになってきている。
【０００３】
一般的な福袋は、物品を入れた袋の開口部をテープやホチキス等で留めるだけであるため、テープが剥がれたりホチキスが取れたりして開口部が不用意に開いてしまうことがある。購入前に中身が見えると、購入の楽しみが半減したり、人気のない商品が含まれた福袋が売れ残ったりすることがある。この問題を解決するため、近年では、開口部が不用意に開かないようにした袋が提案されている（特許文献１）。
【先行技術文献】
【特許文献】
【０００４】
【特許文献１】実登第３００９６８５号公報
【発明の概要】
【発明が解決しようとする課題】
【０００５】
特許文献１記載の袋は、開口部が不用意に開かないようにしてある点で福袋用の袋に適する。しかし、特許文献１記載の袋を含め、福袋に使用される袋は変形しやすい紙製やビニル製であることが多いため、形の崩れやすい物品や傷つきやすい物品を入れるのには不向きであるという難点がある。また、商品を取り出したあとの袋はそのまま廃棄処分されることが多く、資源を有効活用されていないという問題もある。
【０００６】
本発明は、形の崩れやすい物品や傷つきやすい物品であっても収納でき、開口部が不用意に開いたり、人為的に開かれたりすることがなく、使用後は置物として利用することもできる物品収容済みダルマと、福袋として販売することができるダルマ福袋を提供することにある。
【課題を解決するための手段】
【０００７】
本発明の物品収容済みダルマは、置物として飾ることのできる装飾用ダルマ（顔や胴体に装飾が施されたダルマ）内に内部空間があり、ダルマに物品を出し入れできる出し入れ口があり、内部空間と出し入れ口は連通しており、出し入れ口からダルマの内部空間内に物品が収納され、その出し入れ口が閉塞され、物品が収納された状態で又は物品が取り出されてから、置物（装飾用）として飾っておくことができるようにしたものである。物品は個別に又は内袋に入れて収容することができる。
【０００８】
前記出し入れ口をダルマの底面に設け、その出し入れ口を蓋で開閉できるようにして、ダルマを置物として使用した場合に出し入れ口が目触りにならないようにするのが望ましい。出し入れ口を蓋で開閉可能にして、物品を出し入れし易くするのが望ましい。この場合、蓋を重くして、出し入れ口を蓋で閉じるとダルマが安定して倒れにくくなるようにすることもできる。ダルマには、濡らした和紙を糊で貼り重ねる従来方法で作られた張り子形のものを使用するのが望ましい。
【０００９】
本発明のダルマ福袋は、前記物品収容済みダルマを福袋としたものである。
【発明の効果】
【００１０】
本発明の物品収容済みダルマとダルマ福袋は次の効果を奏する。
（１）変形しにくいダルマに物品が収容されているので、収容されている物品が形崩れしにくく損傷もしにくい。
（２）ダルマが装飾用であるため、物品が入っていても、取り出した後も、置物として飾ることができ、ダルマを販売容器と置物（飾り物）の両方に有効活用できる。
（３）出し入れ口をダルマの底面に設ければ、縁起物であるダルマの頭や顔等に傷が付かず、縁起が良い。
（４）福袋として使用（販売）すれば、福袋のイメージが一新されるため、需要者の目を引きやすく、購買意欲を刺激しやすい。特に、外国人に対しては、ダルマという日本文化を知ってもらうこともできる。
（５）張り子形のダルマの場合は、軽量であるため取り扱いが容易である。また、従来からの置物用のダルマをそのまま使用できるため調達もし易い。
【図面の簡単な説明】
【００１１】
【図１】本発明の物品収納済みダルマ（ダルマ福袋）の一例を示す側面図。
【図２】（ａ）はダルマの出し入れ口の蓋を螺子式にした場合の断面図、（ｂ）は蓋を固定具で固定するする場合の断面図。
【図３】本発明の物品収納済みダルマ（ダルマ福袋）の内部構造の説明図。
【発明を実施するための形態】
【００１２】
（実施形態）
本発明の物品収納済みダルマ（ダルマ福袋）１の一例を、図面を参照して説明する。図３に示すものは、ダルマ１の内部空間２内に物品３を収容したものである。図３では内部空間２内にマフラー、ニット帽、セーター等の衣料品が収容してあるが、内部空間２には衣料品のほか、贈答品（タオル、ハンカチ、商品券、図書券等）、縁起物（打ち出の小槌、御守り等）、装飾品（指輪、ネックレス等）、化粧品（マニキュア、口紅、ブラシ等）、食料品（パック入り惣菜等）、文房具（ノート、鉛筆、筆箱等）、菓子（和菓子、洋菓子、クリスマス菓子等）といった各種のものを収容しておくことができる。これら物品３は個別に収納してあるが、内袋に入れて収納することもできる。
【００１３】
図１〜３に示すダルマ１は、和紙を貼り重ねて作られた汎用の張り子形のダルマであり、胴体４の上に顔５があり、胴体４及び顔５に、通常の置物としてのダルマと同様の装飾（デザイン）、着色等が施されている装飾用（置物用）である。具体的には、胴体４にはたれと呼ばれる模様と共に、「合格祈願」「安産祈願」といった各種文字などが描かれ、顔５には置物のダルマと同様の目や眉毛、鼻などが描かれている。顔５に描かれた目は白目としてあり、通常のダルマと同様に、願いが成就した際に祈願者が目入れをできるようにしてある。図示したダルマ１は一例であり、ダルマ１の形状や装飾はこれ以外であってもよい。
【００１４】
ダルマ１の底面には、前記内部空間２に連通する出し入れ口６が開口されており、その出し入れ口６から内部空間２内に物品３を出し入れできるようにしてある。この出し入れ口６は蓋７で開閉可能としてある。出し入れ口６の大きさや形状はダルマ１の大きさや内部空間２内に収容される物品３の大きさや形状等に応じて適宜設計することができる。出し入れ口６の大きさを成人の手が入る程度の大きさとすれば、内部空間２内への物品３の出し入れが容易である。
【００１５】
前記出し入れ口６は、ダルマ１の底面に直接開口することもできるが、図２（ａ）に示すように、ダルマ１の底面の開口部８にリング状の台座９を嵌め込んでおき、その台座９の中央の穴を出し入れ口６とすることもできる。台座９は単に開口部８に圧入するだけでもよいが、接着剤や接着テープなどで固定してもよい。
【００１６】
前記蓋７は出し入れ口６を開閉可能であればどのような構造でもよい。一例として図２（ａ）に示す例は、蓋７を出し入れ口６の周壁に螺子式で閉じることができるようにした場合の例である。この蓋７は、ダルマ１の底面の台座９と同程度の大きさの円板１０の上面に凸部１１を備えている。凸部１１の外周面には外ネジ１２があり、その外ネジ１２を出し入れ口６の内ネジ１３に螺合することによって、出し入れ口６を開閉できるようにしてある。
【００１７】
図２（ｂ）に示す例は、蓋７をダルマ１の底面の台座９と同程度の大きさの円板１０の上面に凸部１１を備えたものとし、当該凸部１１を出し入れ口６に嵌合して、釘やネジ等の固定具１４で台座９に固定できるようにしてある。蓋７は凸部１１を有しない平板であってもよい。この場合も円板１０は釘やネジ等の固定具１４で台座９に固定すればよい。出し入れ口６及び蓋７の前記構造はあくまでも一例であり、出し入れ口６及び蓋７はこれら以外であってもよい。
【００１８】
本発明のダルマ１は型紙を重ねて張り付ける従来の製法で製造された張り子形の装飾用途のものが望ましいが、それ以外の材質、方法で製造されたものであってもよい。ダルマ１の寸法も収容する物品３に応じて設計する。ダルマ１は変形しにくい硬さにしておくと、変形しやすい物品３や傷つきやすい物品３でも収容することができる。
【産業上の利用可能性】
【００１９】
本発明の物品収容済みダルマは、各種物品３を収容して販売される福袋のほか、従来縁起物とし飾られる置物としても利用することができる。また、ダルマ１は、福袋のほか、結婚祝いや出産祝いといった各種贈答品を収容したものとすることもできる。
【符号の説明】
【００２０】
１    ダルマ
２    内部空間
３    物品
４    胴体
５    顔
６    出し入れ口
７    蓋
８    開口部
９    台座
１０  円板
１１  凸部
１２  外ネジ
１３  内ネジ
１４  固定具
【図１】
2015150035.tif 000003
【図２】
2015150035.tif 000004
【図３】
2015150035.tif 000005
【手続補正書】
【提出日】平成26年10月20日(2014.10.20)
【手続補正１】
【補正対象書類名】明細書
【補正対象項目名】全文
【補正方法】変更
【補正の内容】
【発明の詳細な説明】
【技術分野】
【０００１】
本発明は、装飾用（置物用）のダルマの内部に贈答品、縁起物、衣料品、装飾品、化粧品、食料品、文房具、菓子等（以下「物品」という）が収容された、物品収容済みダルマと、物品収容済みダルマ型福袋に関するものである。
【背景技術】
【０００２】
我が国では、年の始めに福袋が販売される商慣行がある。福袋は様々な物品を袋に詰め合わせて割安価格で提供されるものであり、衣料品、装飾品、化粧品など、商品分野を問わず様々な業界で販売されている。近年では、日本特有の福袋を購入するために日本を訪れる外国人も増えており、日本の文化として世界的に知られるようになってきている。
【０００３】
一般的な福袋は、物品を入れた袋の開口部をテープやホチキス等で留めるだけであるため、テープが剥がれたりホチキスが取れたりして開口部が不用意に開いてしまうことがある。購入前に中身が見えると、購入の楽しみが半減したり、人気のない商品が含まれた福袋が売れ残ったりすることがある。この問題を解決するため、近年では、開口部が不用意に開かないようにした袋が提案されている（特許文献１）。
【先行技術文献】
【特許文献】
【０００４】
【特許文献１】実登第３００９６８５号公報
【発明の概要】
【発明が解決しようとする課題】
【０００５】
特許文献１記載の袋は、開口部が不用意に開かないようにしてある点で福袋用の袋に適する。しかし、特許文献１記載の袋を含め、福袋に使用される袋は変形しやすい紙製やビニル製であることが多いため、形の崩れやすい物品や傷つきやすい物品を入れるのには不向きであるという難点がある。また、商品を取り出したあとの袋はそのまま廃棄処分されることが多く、資源を有効活用されていないという問題もある。
【０００６】
本発明は、形の崩れやすい物品や傷つきやすい物品であっても収納でき、開口部が不用意に開いたり、人為的に開かれたりすることがなく、使用後は置物として利用することもできる物品収容済みダルマと、物品収容済みダルマ型福袋を提供することにある。
【課題を解決するための手段】
【０００７】
本発明の物品収容済みダルマは、顔や胴体に装飾が施されて置物として飾ることのできる装飾用ダルマにおいて、顔及び胴体が一体に成形されて分離不能であり、顔及び胴体の内部に内部空間があり、底面全域（略全域を含む）に開口部が設けられ、前記開口部の内面に内側開口部を備えたリング状の台座が固定され、前記台座の内側開口部が物品を出し入れできる大きさの出し入れ口であり、出し入れ口は前記内部空間と連通しており、物品が内袋に入れて又は入れずに当該出し入れ口から前記内部空間内に収納され、前記台座に蓋が脱着可能に取り付けられて、前記出し入れ口が当該蓋で脱着可能に閉塞されたものである。
【０００８】
前記出し入れ口をダルマの底面に設けることにより物品収容済みダルマを置物として使用した場合に、出し入れ口が目障りにならない。出し入れ口は蓋を脱着可能にしたので物品を出し入れし易くなる。この場合、蓋を重くして、出し入れ口を蓋で閉じるとダルマが安定して倒れにくくなるようにすることもできる。ダルマには、濡らした和紙を糊で貼り重ねる従来方法で作られた張り子形のものを使用するのが望ましい。
【０００９】
本発明の物品収容済みダルマ型福袋は、前記内部空間内に、贈答品、縁起物、衣料品、装飾品、化粧品、食料品、文房具、菓子等の物品が収容されたダルマ型福袋である。
【発明の効果】
【００１０】
本発明の物品収容済みダルマ及びダルマ型福袋は次の効果を奏する。
（１）変形しにくいダルマに物品が収容されているので、収容されている物品が形崩れしにくく損傷もしにくい。
（２）ダルマが装飾用であるため、物品が入っていても、取り出した後も、置物として飾ることができ、ダルマを販売容器と置物（飾り物）の両方に有効活用できる。
（３）出し入れ口をダルマの底面に設ければ、縁起物であるダルマの頭や顔等に傷が付かず、縁起が良い。
（４）イメージが一新された福袋となるため、需要者の目を引きやすく、購買意欲を刺激しやすい。特に、外国人に対しては、ダルマという日本文化を知ってもらうこともできる。
（５）張り子形のダルマの場合は、軽量であるため取り扱いが容易である。また、従来からの置物用のダルマをそのまま使用できるため調達もし易い。
【図面の簡単な説明】
【００１１】
【図１】本発明の物品収納済みダルマ及び物品収納済みダルマ型福袋の一例を示す側面図。
【図２】（ａ）はダルマの出し入れ口の蓋を螺子式にした場合の断面図、（ｂ）は蓋を固定具で固定する場合の断面図。
【図３】本発明の物品収納済みダルマ及び物品収納済みダルマ型福袋の内部構造の説明図。
【発明を実施するための形態】
【００１２】
（実施形態）
本発明の物品収納済みダルマ及び物品収納済みダルマ型福袋の一例を、図面を参照して説明する。図３に示すものは、ダルマ１の内部空間２内に物品３を収容したものである。図３では内部空間２内にマフラー、ニット帽、セーター等の衣料品が収容してあるが、内部空間２には衣料品のほか、贈答品（タオル、ハンカチ、商品券、図書券等）、縁起物（打ち出の小槌、御守り等）、装飾品（指輪、ネックレス等）、化粧品（マニキュア、口紅、ブラシ等）、食料品（パック入り惣菜等）、文房具（ノート、鉛筆、筆箱等）、菓子（和菓子、洋菓子、クリスマス菓子等）といった各種のものを収容しておくことができる。これら物品３は個別に収納してあるが、内袋に入れて収納することもできる。
【００１３】
図１〜３に示すダルマ１は、和紙を貼り重ねて作られた汎用の張り子形のダルマであり、胴体４の上に顔５があり、胴体４及び顔５に、通常の置物としてのダルマと同様の装飾（デザイン）、着色等が施されている装飾用（置物用）である。具体的には、胴体４にはたれと呼ばれる模様と共に、「合格祈願」「安産祈願」といった各種文字などが描かれ、顔５には置物のダルマと同様の目や眉毛、鼻などが描かれている。顔５に描かれた目は白目としてあり、通常のダルマと同様に、願いが成就した際に祈願者が目入れをできるようにしてある。図示したダルマ１は一例であり、ダルマ１の形状や装飾はこれ以外であってもよい。
【００１４】
ダルマ１の底面には、前記内部空間２に連通する出し入れ口６が開口されており、その出し入れ口６から内部空間２内に物品３を出し入れできるようにしてある。この出し入れ口６は蓋７で開閉可能としてある。出し入れ口６の大きさや形状はダルマ１の大きさや内部空間２内に収容される物品３の大きさや形状等に応じて適宜設計することができる。出し入れ口６の大きさを成人の手が入る程度の大きさとすれば、内部空間２内への物品３の出し入れが容易である。
【００１５】
前記出し入れ口６は、ダルマ１の底面に直接開口することもできるが、図２（ａ）に示すように、ダルマ１の底面の開口部８にリング状の台座９を嵌め込んでおき、その台座９の中央の穴を出し入れ口６とすることもできる。台座９は単に開口部８に圧入するだけでもよいが、接着剤や接着テープなどで固定してもよい。
【００１６】
前記蓋７は出し入れ口６を開閉可能であればどのような構造でもよい。一例として図２（ａ）に示す例は、蓋７を出し入れ口６の周壁に螺子式で閉じることができるようにした場合の例である。この蓋７は、ダルマ１の底面の台座９と同程度の大きさの円板１０の上面に凸部１１を備えている。凸部１１の外周面には外ネジ１２があり、その外ネジ１２を出し入れ口６の内ネジ１３に螺合することによって、出し入れ口６を開閉できるようにしてある。
【００１７】
図２（ｂ）に示す例は、蓋７をダルマ１の底面の台座９と同程度の大きさの円板１０の上面に凸部１１を備えたものとし、当該凸部１１を出し入れ口６に嵌合して、釘やネジ等の固定具１４で台座９に固定できるようにしてある。蓋７は凸部１１を有しない平板であってもよい。この場合も円板１０は釘やネジ等の固定具１４で台座９に固定すればよい。出し入れ口６及び蓋７の前記構造はあくまでも一例であり、出し入れ口６及び蓋７はこれら以外であってもよい。
【００１８】
本発明のダルマ１は型紙を重ねて張り付ける従来の製法で製造された張り子形の装飾用途のものが望ましいが、それ以外の材質、方法で製造されたものであってもよい。ダルマ１の寸法も収容する物品３に応じて設計する。ダルマ１は変形しにくい硬さにしておくと、変形しやすい物品３や傷つきやすい物品３でも収容することができる。
【産業上の利用可能性】
【００１９】
本発明の物品収容済みダルマは、各種物品３を収容して販売される福袋のほか、従来縁起物とし飾られる置物としても利用することができる。また、ダルマ１は、福袋のほか、結婚祝いや出産祝いといった各種贈答品を収容したものとすることもできる。
【符号の説明】
【００２０】
１    ダルマ
２    内部空間
３    物品
４    胴体
５    顔
６    出し入れ口
７    蓋
８    開口部
９    台座
１０  円板
１１  凸部
１２  外ネジ
１３  内ネジ
１４  固定具
【手続補正２】
【補正対象書類名】特許請求の範囲
【補正対象項目名】全文
【補正方法】変更
【補正の内容】
【特許請求の範囲】
【請求項１】
顔や胴体に装飾が施されて置物として飾ることのできる装飾用ダルマにおいて、
顔及び胴体が一体に成形されて分離不能であり、
顔及び胴体の内部に内部空間があり、
底面全域（略全域を含む）に開口部が設けられ、
前記開口部の内面に内側開口部を備えたリング状の台座が固定され、
前記台座の内側開口部が物品を出し入れできる大きさの出し入れ口であり、
前記出し入れ口は前記内部空間と連通しており、
物品が内袋に入れて又は入れずに当該出し入れ口から前記内部空間内に収納され、
前記台座に蓋が脱着可能に取り付けられて、前記出し入れ口が当該蓋で脱着可能に閉塞された、
ことを特徴とする物品収容済みダルマ。
【請求項２】
請求項１記載の物品収容済みダルマにおいて、
ダルマが紙を重ね合わせて形成された張り子形のダルマである、
ことを特徴とする物品収容済みダルマ。
【請求項３】
請求項１又は請求項２に記載の物品収容済みダルマにおいて、
内部空間内に、贈答品、縁起物、衣料品、装飾品、化粧品、食料品、文房具、菓子等の物品が収容された、
ことを特徴とする物品収容済みダルマ型福袋。
【手続補正書】
【提出日】平成27年2月9日(2015.2.9)
【手続補正１】
【補正対象書類名】明細書
【補正対象項目名】全文
【補正方法】変更
【補正の内容】
【発明の詳細な説明】
【技術分野】
【０００１】
本発明は、装飾用（置物用）のダルマの内部に贈答品、縁起物、衣料品、装飾品、化粧品、食料品、文房具、菓子等（以下「物品」という）が収容された、物品収容済みダルマと、物品収容済みダルマ型福袋に関するものである。
【背景技術】
【０００２】
我が国では、年の始めに福袋が販売される商慣行がある。福袋は様々な物品を袋に詰め合わせて割安価格で提供されるものであり、衣料品、装飾品、化粧品など、商品分野を問わず様々な業界で販売されている。近年では、日本特有の福袋を購入するために日本を訪れる外国人も増えており、日本の文化として世界的に知られるようになってきている。
【０００３】
一般的な福袋は、物品を入れた袋の開口部をテープやホチキス等で留めるだけであるため、テープが剥がれたりホチキスが取れたりして開口部が不用意に開いてしまうことがある。購入前に中身が見えると、購入の楽しみが半減したり、人気のない商品が含まれた福袋が売れ残ったりすることがある。この問題を解決するため、近年では、開口部が不用意に開かないようにした袋が提案されている（特許文献１）。
【先行技術文献】
【特許文献】
【０００４】
【特許文献１】実登第３００９６８５号公報
【発明の概要】
【発明が解決しようとする課題】
【０００５】
特許文献１記載の袋は、開口部が不用意に開かないようにしてある点で福袋用の袋に適する。しかし、特許文献１記載の袋を含め、福袋に使用される袋は変形しやすい紙製やビニル製であることが多いため、形の崩れやすい物品や傷つきやすい物品を入れるのには不向きであるという難点がある。また、商品を取り出したあとの袋はそのまま廃棄処分されることが多く、資源を有効活用されていないという問題もある。
【０００６】
本発明は、形の崩れやすい物品や傷つきやすい物品であっても収納でき、開口部が不用意に開いたり、人為的に開かれたりすることがなく、使用後は置物として利用することもできる物品収容済みダルマと、物品収容済みダルマ型福袋を提供することにある。
【課題を解決するための手段】
【０００７】
本発明の物品収容済みダルマは、顔や胴体に装飾が施されて置物として飾ることのできる装飾用ダルマにおいて、ダルマが紙を重ね合わせて形成された張り子形のダルマであり、ダルマの顔及び胴体が一体に成形されて分離不能であり、ダルマの顔及び胴体の内部空間が贈答品、縁起物、衣料品、装飾品、化粧品、食料品、文房具、菓子等の物品を出し入れできる大きさであり、ダルマの底面全域（略全域を含む）に開口部が設けられ、前記開口部は下向きに形成されてリング状の台座を嵌合できるようにしてあり、前記開口部に内側開口部を備えたリング状の台座が嵌合固定され、前記リング状の台座はその周縁部横幅が内周面にねじ切り可能な広さ又は台座の下に宛がった蓋を固定具で止めることのできる広さであり、前記台座の内側開口部は手を差込んで贈答品、縁起物、衣料品、装飾品、化粧品、食料品、文房具、菓子等の物品を出し入れできる大きさの出し入れ口であり、前記台座の出し入れ口は前記ダルマの開口部からダルマ内部の前記内部空間と連通しており、前記物品が内袋に入れて又は入れずに当該台座の出し入れ口から前記ダルマの内部空間内に収納され、前記台座に当該台座と同程度の大きさの蓋が前記台座に脱着可能に取り付けられて、前記台座の出し入れ口が当該蓋で脱着可能に閉塞されて、前記内部空間内の物品が脱落しないようにして販売することができ、前記蓋はダルマをその底面を下にして置くとダルマが安定する重さであり、前記蓋を開いて前記内部空間内の物品を前記台座の出し入れ口から取り出してから当該蓋を前記台座に螺子止め又は固定具で固定して台座の出し入れ口を閉塞することにより、前記ダルマを台座及び蓋を下にして装飾用として飾ることができるようにしたものである。
【０００８】
前記出し入れ口をダルマの底面に設けることにより物品収容済みダルマを置物として使用した場合に、出し入れ口が目障りにならない。出し入れ口は蓋を脱着可能にしたので物品を出し入れし易くなる。この場合、蓋を重くして、出し入れ口を蓋で閉じるとダルマが安定して倒れにくくなるようにすることもできる。ダルマには、濡らした和紙を糊で貼り重ねる従来方法で作られた張り子形のものを使用するのが望ましい。
【０００９】
本発明の物品収容済みダルマ型福袋は、前記内部空間内に、贈答品、縁起物、衣料品、装飾品、化粧品、食料品、文房具、菓子等の物品が収容されたダルマ型福袋である。
【発明の効果】
【００１０】
本発明の物品収容済みダルマ及びダルマ型福袋は次の効果を奏する。
（１）変形しにくいダルマに物品が収容されているので、収容されている物品が形崩れしにくく損傷もしにくい。
（２）ダルマが装飾用であるため、物品が入っていても、取り出した後も、置物として飾ることができ、ダルマを販売容器と置物（飾り物）の両方に有効活用できる。
（３）出し入れ口をダルマの底面に設ければ、縁起物であるダルマの頭や顔等に傷が付かず、縁起が良い。
（４）イメージが一新された福袋となるため、需要者の目を引きやすく、購買意欲を刺激しやすい。特に、外国人に対しては、ダルマという日本文化を知ってもらうこともできる。
（５）張り子形のダルマの場合は、軽量であるため取り扱いが容易である。また、従来からの置物用のダルマをそのまま使用できるため調達もし易い。
【図面の簡単な説明】
【００１１】
【図１】本発明の物品収納済みダルマ及び物品収納済みダルマ型福袋の一例を示す側面図。
【図２】（ａ）はダルマの出し入れ口の蓋を螺子式にした場合の断面図、（ｂ）は蓋を固定具で固定する場合の断面図。
【図３】本発明の物品収納済みダルマ及び物品収納済みダルマ型福袋の内部構造の説明図。
【発明を実施するための形態】
【００１２】
（実施形態）
本発明の物品収納済みダルマ及び物品収納済みダルマ型福袋の一例を、図面を参照して説明する。図３に示すものは、ダルマ１の内部空間２内に物品３を収容したものである。図３では内部空間２内にマフラー、ニット帽、セーター等の衣料品が収容してあるが、内部空間２には衣料品のほか、贈答品（タオル、ハンカチ、商品券、図書券等）、縁起物（打ち出の小槌、御守り等）、装飾品（指輪、ネックレス等）、化粧品（マニキュア、口紅、ブラシ等）、食料品（パック入り惣菜等）、文房具（ノート、鉛筆、筆箱等）、菓子（和菓子、洋菓子、クリスマス菓子等）といった各種のものを収容しておくことができる。これら物品３は個別に収納してあるが、内袋に入れて収納することもできる。
【００１３】
図１〜３に示すダルマ１は、和紙を貼り重ねて作られた汎用の張り子形のダルマであり、胴体４の上に顔５があり、胴体４及び顔５に、通常の置物としてのダルマと同様の装飾（デザイン）、着色等が施されている装飾用（置物用）である。具体的には、胴体４にはたれと呼ばれる模様と共に、「合格祈願」「安産祈願」といった各種文字などが描かれ、顔５には置物のダルマと同様の目や眉毛、鼻などが描かれている。顔５に描かれた目は白目としてあり、通常のダルマと同様に、願いが成就した際に祈願者が目入れをできるようにしてある。図示したダルマ１は一例であり、ダルマ１の形状や装飾はこれ以外であってもよい。
【００１４】
ダルマ１の底面には、前記内部空間２に連通する出し入れ口６が開口されており、その出し入れ口６から内部空間２内に物品３を出し入れできるようにしてある。この出し入れ口６は蓋７で開閉可能としてある。出し入れ口６の大きさや形状はダルマ１の大きさや内部空間２内に収容される物品３の大きさや形状等に応じて適宜設計することができる。出し入れ口６の大きさを成人の手が入る程度の大きさとすれば、内部空間２内への物品３の出し入れが容易である。
【００１５】
前記出し入れ口６は、ダルマ１の底面に直接開口することもできるが、図２（ａ）に示すように、ダルマ１の底面の開口部８にリング状の台座９を嵌め込んでおき、その台座９の中央の穴を出し入れ口６とすることもできる。台座９は単に開口部８に圧入するだけでもよいが、接着剤や接着テープなどで固定してもよい。
【００１６】
前記蓋７は出し入れ口６を開閉可能であればどのような構造でもよい。一例として図２（ａ）に示す例は、蓋７を出し入れ口６の周壁に螺子式で閉じることができるようにした場合の例である。この蓋７は、ダルマ１の底面の台座９と同程度の大きさの円板１０の上面に凸部１１を備えている。凸部１１の外周面には外ネジ１２があり、その外ネジ１２を出し入れ口６の内ネジ１３に螺合することによって、出し入れ口６を開閉できるようにしてある。
【００１７】
図２（ｂ）に示す例は、蓋７をダルマ１の底面の台座９と同程度の大きさの円板１０の上面に凸部１１を備えたものとし、当該凸部１１を出し入れ口６に嵌合して、釘やネジ等の固定具１４で台座９に固定できるようにしてある。蓋７は凸部１１を有しない平板であってもよい。この場合も円板１０は釘やネジ等の固定具１４で台座９に固定すればよい。出し入れ口６及び蓋７の前記構造はあくまでも一例であり、出し入れ口６及び蓋７はこれら以外であってもよい。
【００１８】
本発明のダルマ１は型紙を重ねて張り付ける従来の製法で製造された張り子形の装飾用途のものが望ましいが、それ以外の材質、方法で製造されたものであってもよい。ダルマ１の寸法も収容する物品３に応じて設計する。ダルマ１は変形しにくい硬さにしておくと、変形しやすい物品３や傷つきやすい物品３でも収容することができる。
【産業上の利用可能性】
【００１９】
本発明の物品収容済みダルマは、各種物品３を収容して販売される福袋のほか、従来縁起物とし飾られる置物としても利用することができる。また、ダルマ１は、福袋のほか、結婚祝いや出産祝いといった各種贈答品を収容したものとすることもできる。
【符号の説明】
【００２０】
１    ダルマ
２    内部空間
３    物品
４    胴体
５    顔
６    出し入れ口
７    蓋
８    開口部
９    台座
１０  円板
１１  凸部
１２  外ネジ
１３  内ネジ
１４  固定具
【手続補正２】
【補正対象書類名】特許請求の範囲
【補正対象項目名】全文
【補正方法】変更
【補正の内容】
【特許請求の範囲】
【請求項１】
顔や胴体に装飾が施されて置物として飾ることのできる装飾用ダルマにおいて、
ダルマが紙を重ね合わせて形成された張り子形のダルマであり、
ダルマの顔及び胴体が一体に成形されて分離不能であり、
ダルマの顔及び胴体の内部空間が贈答品、縁起物、衣料品、装飾品、化粧品、食料品、文房具、菓子等の物品を出し入れできる大きさであり、
ダルマの底面全域（略全域を含む）に開口部が設けられ、
前記開口部は下向きに形成されてリング状の台座を嵌合できるようにしてあり、
前記開口部に内側開口部を備えたリング状の台座が嵌合固定され、
前記リング状の台座はその周縁部横幅が内周面にねじ切り可能な広さ又は台座の下に宛がった蓋を固定具で止めることのできる広さであり、
前記台座の内側開口部は手を差込んで贈答品、縁起物、衣料品、装飾品、化粧品、食料品、文房具、菓子等の物品を出し入れできる大きさの出し入れ口であり、
前記台座の出し入れ口は前記ダルマの開口部からダルマ内部の前記内部空間と連通しており、
前記物品が内袋に入れて又は入れずに当該台座の出し入れ口から前記ダルマの内部空間内に収納され、
前記台座に当該台座と同程度の大きさの蓋が前記台座に脱着可能に取り付けられて、前記台座の出し入れ口が当該蓋で脱着可能に閉塞されて、前記内部空間内の物品が脱落しないようにして販売することができ、
前記蓋はダルマをその底面を下にして置くとダルマが安定する重さであり、
前記蓋を開いて前記内部空間内の物品を前記台座の出し入れ口から取り出してから当該蓋を前記台座に螺子止め又は固定具で固定して台座の出し入れ口を閉塞することにより、前記ダルマを台座及び蓋を下にして装飾用として飾ることができる、
ことを特徴とする物品収容済みダルマ。
【請求項２】
請求項１記載の物品収容済みダルマにおいて、
内部空間内に、贈答品、縁起物、衣料品、装飾品、化粧品、食料品、文房具、菓子等の物品が収容された、
ことを特徴とする物品収容済みダルマ型福袋。